(57)【特許請求の範囲】
【請求項１】
下方のみに開口部を有する洗浄炉本体と、該洗浄炉本体の下方に昇降可能に設けられた洗浄炉蓋部材と、該洗浄炉蓋部材の中央部を貫通して設けられた洗浄ガス供給経路及び洗浄排ガス排出経路と、前記洗浄炉蓋部材の上に着脱可能に載置される洗浄容器とを備え、該洗浄容器は、前記洗浄炉蓋部材の上に設けられた洗浄容器支持体に着脱可能に載置される円盤状の底板と、該底板の内周部に載置される小径リング状の内周側支持部材と、底板の外周部に積層される大径リング状の外周側支持部材と、内周側支持部材と外周側支持部材との間に設けられる部品支持具と、最上段に位置する外周側支持部材上に載置される洗浄容器天板とを備え、前記内周側支持部材の内周側下部及び内周側上部には、上下に隣接する内周側支持部材同士を位置決めする内周側凹凸係合部が設けられ、前記外周側支持部材の外周側下部及び外周側上部には、上下に隣接する外周側支持部材同士を位置決めする外周側凹凸係合部が設けられ、前記内周側支持部材の外周側及び前記外周側支持部材の内周側には、内周側支持部材と外周側支持部材との間、あるいは、内周側支持部材又は外周側支持部材と前記部品支持具との間で気相成長装置用部品を載置するための部品載置部を設け、前記内周側支持部材の内周側に、前記底板の中央部に設けられた開口を介して前記洗浄ガス供給経路に連通する洗浄ガス流路を設け、内周側支持部材の外周側の底板の内周部に、前記洗浄排ガス排出経路に連通する排気孔を設けるとともに、最上段に位置する内周側支持部材と洗浄容器天板との間、及び、前記部品載置部の上面と前記気相成長装置用部品の下面との間に、ガス流路をそれぞれ形成したことを特徴とする気相成長装置用部品の洗浄装置。
【請求項２】
下方のみに開口部を有する洗浄炉本体と、該洗浄炉本体の下方に昇降可能に設けられた洗浄炉蓋部材と、該洗浄炉蓋部材の中央部を貫通して設けられた洗浄ガス供給経路及び洗浄排ガス排出経路と、前記洗浄炉蓋部材の上に着脱可能に載置される洗浄容器とを備え、該洗浄容器は、前記洗浄炉蓋部材の上に設けられた洗浄容器支持体に着脱可能に載置される円盤状の底板と、該底板の内周部に載置される小径リング状の内周側支持部材と、底板の外周部に積層される大径リング状の外周側支持部材と、内周側支持部材と外周側支持部材との間に設けられる部品支持具と、最上段に位置する外周側支持部材上に載置される洗浄容器天板とを備え、前記内周側支持部材の内周側下部及び内周側上部には、上下に隣接する内周側支持部材同士を位置決めする内周側凹凸係合部が設けられ、前記外周側支持部材の外周側下部及び外周側上部には、上下に隣接する外周側支持部材同士を位置決めする外周側凹凸係合部が設けられ、前記内周側支持部材の外周側及び前記外周側支持部材の内周側には、内周側支持部材と外周側支持部材との間、あるいは、内周側支持部材又は外周側支持部材と前記部品支持具との間で気相成長装置用部品を載置するための部品載置部を設け、前記内周側支持部材の内周側に、前記底板の中央部に設けられた開口を介して前記洗浄ガス供給経路に連通する洗浄ガス流路を設け、内周側支持部材に、前記洗浄ガス流路と内周側支持部材の外周側とを流通させる洗浄ガス流路を設けるとともに、外周側支持部材に、該外周側支持部材の内周側と洗浄容器外部側とを流通させる洗浄排ガス流路を設け、前記洗浄排ガス排出経路は、洗浄容器外部側のガスを吸引して排出可能に設けられていることを特徴とする気相成長装置用部品の洗浄装置。
【請求項３】
前記洗浄炉蓋部材を、前記洗浄炉本体の開口部を閉塞する上昇位置と、前記洗浄容器を洗浄炉本体の開口部より下方に位置させた下降位置とに昇降させる洗浄炉蓋部材昇降手段を備えていることを特徴とする請求項１又は２記載の気相成長装置用部品の洗浄装置。
【請求項４】
前記下降位置に下降した洗浄炉蓋部材の上に載置された前記洗浄容器を洗浄炉蓋部材から移載して洗浄炉蓋部材の側方位置に搬送する洗浄容器搬送手段を備えていることを特徴とする請求項３記載の気相成長装置用部品の洗浄装置。
【発明の詳細な説明】
【技術分野】
【０００１】
本発明は、気相成長装置用部品の洗浄装置に関し、詳しくは、発光ダイオードやレーザダイオードの発光デバイスに用いられる化合物半導体などの薄膜を製造するための気相成長装置に用いられている部品を洗浄するための洗浄装置に関する。
【背景技術】
【０００２】
各種化合物半導体の薄膜を製造するための装置として、気相成長装置が知られている。気相成長装置としては、フローチャンネル内に設けたサセプタ上に基板を載置し、該基板をサセプタを介して加熱するとともに、フローチャンネル内に原料ガスを供給し、基板の上方で原料ガスを反応させて基板上に薄膜を形成するものが一般的に用いられている。このような気相成長装置では、原料ガスが反応する部分の周辺に位置する部品に、反応生成物が付着するため、定期的に気相成長装置を分解して各部品を洗浄し、付着した反応生成物を除去するようにしている（例えば、特許文献１参照。）。
【先行技術文献】
【特許文献】
【０００３】
【特許文献１】特開２０１２−１８６３１１号公報
【発明の概要】
【発明が解決しようとする課題】
【０００４】
しかし、従来の気相成長装置用部品の洗浄装置では、各部品の形状に対応した支持具や容器を用意しなければならず、一つの気相成長装置に対して一つの洗浄装置を対応させることが多く、サイズが異なる基板を処理するための各種形状の気相成長装置用部品を纏めて洗浄することが困難であった。
【０００５】
そこで本発明は、サイズが異なる基板を処理するための各種形状の気相成長装置用部品を纏めて洗浄することができる構造を備えた気相成長装置用部品の洗浄装置を提供することを目的としている。
【課題を解決するための手段】
【０００６】
上記目的を達成するため、本発明の気相成長装置用部品の洗浄装置は、第１の構成として、下方のみに開口部を有する洗浄炉本体と、該洗浄炉本体の下方に昇降可能に設けられた洗浄炉蓋部材と、該洗浄炉蓋部材の中央部を貫通して設けられた洗浄ガス供給経路及び洗浄排ガス排出経路と、前記洗浄炉蓋部材の上に着脱可能に載置される洗浄容器とを備え、該洗浄容器は、前記洗浄炉蓋部材の上に設けられた洗浄容器支持体に着脱可能に載置される円盤状の底板と、該底板の内周部に載置される小径リング状の内周側支持部材と、底板の外周部に積層される大径リング状の外周側支持部材と、内周側支持部材と外周側支持部材との間に設けられる部品支持具と、最上段に位置する外周側支持部材上に載置される洗浄容器天板とを備え、前記内周側支持部材の内周側下部及び内周側上部には、上下に隣接する内周側支持部材同士を位置決めする内周側凹凸係合部が設けられ、前記外周側支持部材の外周側下部及び外周側上部には、上下に隣接する外周側支持部材同士を位置決めする外周側凹凸係合部が設けられ、前記内周側支持部材の外周側及び前記外周側支持部材の内周側には、内周側支持部材と外周側支持部材との間、あるいは、内周側支持部材又は外周側支持部材と前記部品支持具との間で気相成長装置用部品を載置するための部品載置部を設け、前記内周側支持部材の内周側に、前記底板の中央部に設けられた開口を介して前記洗浄ガス供給経路に連通する洗浄ガス流路を設け、内周側支持部材の外周側の底板の内周部に、前記洗浄排ガス排出経路に連通する排気孔を設けるとともに、最上段に位置する内周側支持部材と洗浄容器天板との間、及び、前記部品載置部の上面と前記気相成長装置用部品の下面との間に、ガス流路をそれぞれ形成したことを特徴としている。
【０００７】
また、本発明の気相成長装置用部品の洗浄装置における第２の構成は、下方のみに開口部を有する洗浄炉本体と、該洗浄炉本体の下方に昇降可能に設けられた洗浄炉蓋部材と、該洗浄炉蓋部材の中央部を貫通して設けられた洗浄ガス供給経路及び洗浄排ガス排出経路と、前記洗浄炉蓋部材の上に着脱可能に載置される洗浄容器とを備え、該洗浄容器は、前記洗浄炉蓋部材の上に設けられた洗浄容器支持体に着脱可能に載置される円盤状の底板と、該底板の内周部に載置される小径リング状の内周側支持部材と、底板の外周部に積層される大径リング状の外周側支持部材と、内周側支持部材と外周側支持部材との間に設けられる部品支持具と、最上段に位置する外周側支持部材上に載置される洗浄容器天板とを備え、前記内周側支持部材の内周側下部及び内周側上部には、上下に隣接する内周側支持部材同士を位置決めする内周側凹凸係合部が設けられ、前記外周側支持部材の外周側下部及び外周側上部には、上下に隣接する外周側支持部材同士を位置決めする外周側凹凸係合部が設けられ、前記内周側支持部材の外周側及び前記外周側支持部材の内周側には、内周側支持部材と外周側支持部材との間、あるいは、内周側支持部材又は外周側支持部材と前記部品支持具との間で気相成長装置用部品を載置するための部品載置部を設け、前記内周側支持部材の内周側に、前記底板の中央部に設けられた開口を介して前記洗浄ガス供給経路に連通する洗浄ガス流路を設け、内周側支持部材に、前記洗浄ガス流路と内周側支持部材の外周側とを流通させる洗浄ガス流路を設けるとともに、外周側支持部材に、該外周側支持部材の内周側と洗浄容器外部側とを流通させる洗浄排ガス流路を設け、前記洗浄排ガス排出経路は、洗浄容器外部側のガスを吸引して排出可能に設けられていることを特徴としている。
【０００８】
さらに、前記洗浄炉蓋部材を、前記洗浄炉本体の開口部を閉塞する上昇位置と、前記洗浄容器を洗浄炉本体の開口部より下方に位置させた下降位置とに昇降させる洗浄炉蓋部材昇降手段を備えていること、加えて、前記下降位置に下降した洗浄炉蓋部材の上に載置された前記洗浄容器を洗浄炉蓋部材から移載して洗浄炉蓋部材の側方位置に搬送する洗浄容器搬送手段を備えていることを特徴としている。
【発明の効果】
【０００９】
本発明の気相成長装置用部品の洗浄装置によれば、内周側支持部材、外周側支持部材及び部品支持具を使用して複数の気相成長装置用部品を支持して収納した洗浄容器を洗浄炉蓋部材の上に載置した状態で、洗浄炉蓋部材で洗浄炉本体の開口部を閉塞して洗浄容器内に洗浄ガスを供給することにより、複数の気相成長装置用部品を効率よく洗浄することができる。また、洗浄炉蓋部材を昇降させる洗浄炉蓋部材昇降手段や洗浄容器を洗浄炉蓋部材の側方位置に搬送する洗浄容器搬送手段を接地することにより、洗浄容器の洗浄炉内への出し入れを容易に行うことができる。
【図面の簡単な説明】
【００１０】
【図１】本発明の気相成長装置用部品の洗浄装置が洗浄する部品を備えた気相成長装置の一例を示す要部の断面正面図である。
【図２】本発明の気相成長装置用部品の洗浄装置の第１形態例を示す断面正面図である。
【図３】洗浄炉本体と洗浄容器と洗浄炉蓋部材との関係を示す説明図である。
【図４】洗浄炉本体と洗浄炉蓋部材との関係を示す要部の断面正面図である。
【図５】洗浄炉蓋部材と洗浄容器との関係を示す要部の断面正面図である。
【図６】洗浄容器内の気相成長装置用部品の配置状態の一例を示す説明図である。
【図７】洗浄容器を載置した洗浄炉蓋部材を下降させた状態を示す断面正面図である。
【図８】洗浄容器搬送手段の一例を示す平面図である。
【図９】洗浄容器を洗浄容器搬送手段に移載した状態を示す断面正面図である。
【図１０】同じく断面側面図である。
【図１１】同じく平面図である。
【図１２】洗浄炉蓋部材を更に下降させて洗浄容器を洗浄炉蓋部材の側方位置に搬送した状態を示す断面正面図である。
【図１３】同じく平面図である。
【図１４】洗浄容器を運搬台車に移載した状態を示す断面正面図である。
【図１５】同じく平面図である。
【図１６】本発明の気相成長装置用部品の洗浄装置の第２形態例を示す断面正面図である。
【発明を実施するための形態】
【００１１】
本形態例に示す気相成長装置用部品の洗浄装置は、基板上に各種化合物半導体の薄膜を形成する気相成長装置に用いられている各種部品を洗浄するためのものである。図１は、気相成長装置の一例を示すもので、回転中心線から右側の要部を示している。この気相成長装置は、偏平円筒状のチャンバー内に、複数の基板１１を保持した円盤状のサセプタ１２を回転可能に設け、サセプタ１２を回転させながら加熱手段１３によって基板１１を所定温度に加熱するとともに、サセプタ１２の回転中心部に設けられたガス供給部１４から放射状に、所定の原料ガスを供給するように形成されている。
【００１２】
サセプタ１２の上面には、基板設置部に円形の開口を有する円盤状のサセプタカバー１５が設けられ、該サセプタカバー１５の円形開口には、プレートリング１６を介して前記基板１１が配置される。また、サセプタ１２の上方には、中央に円形開口を有する円盤状の天井板１７が設けられている。
【００１３】
薄膜形成時には、所定温度に加熱された基板１１の上方で原料ガスが反応あるいは分解して基板１１の上面に所定の薄膜を形成する。同時に、原料ガスの一部や反応生成物がサセプタカバー１５、プレートリング１６、天井板１７にも付着する。
【００１４】
図２乃至図６は、本発明の気相成長装置用部品の洗浄装置の第１形態例を示している。この洗浄装置は、前記サセプタカバー１５、プレートリング１６、天井板１７といった気相成長装置用部品を収容する部品収容部２１ａを有する洗浄容器２１と、該洗浄容器２１を収納する洗浄炉３１とを備えており、洗浄炉３１は、洗浄炉本体３２と、該洗浄炉本体３２の下方に昇降可能に設けられた洗浄炉蓋部材３３とを備えている。
【００１５】
洗浄炉本体３２は、洗浄ガスや反応生成物に対する耐食性を有し、輻射熱を透過させる材料、例えば石英ガラスによって形成されたドーム部３２ａと、該ドーム部３２ａの下部開口縁に気密に装着された金属製の第１シール部材３２ｂとにより、下方にのみ開口部３２ｃを有する形状に形成されており、該洗浄炉本体３２の周囲及び上方は、加熱手段３４ａ及び断熱材３４ｂを備えたケース部材３４によって覆われている。また、第１シール部材３２ｂには、外部からシールガス、例えば窒素ガスを供給するシールガス供給経路３５が設けられるとともに、第１シール部材３２ｂの内周には、ドーム部３２ａの内周に沿って立設した筒状の第２シール部材３２ｄが設けられている。
【００１６】
洗浄炉蓋部材３３は、洗浄炉本体３２の下部開口部を閉塞可能な円盤状の蓋本体３３ａと、該蓋本体３３ａの上部に設けられて洗浄炉本体３２の内部に浸入する台座部３３ｂとを有している。前記蓋本体３３ａ及び台座部３３ｂの中央には、鉛直方向の貫通孔からなるガス通路部３６が設けられるとともに、該ガス通路部３６の上端外周部には、前記洗浄容器２１を支持するための洗浄容器支持体３７が設けられている。
【００１７】
前記ガス通路部３６の中央には、前記洗浄容器２１の内部に洗浄ガスを供給する洗浄ガス供給経路３８が設けられており、該洗浄ガス供給経路３８の周囲のガス通路部３６内が、洗浄容器２１の内部及び洗浄炉本体３２の内部から洗浄排ガスやパージガスを吸引して排出する洗浄排ガス排出経路３９となっている。この洗浄排ガス排出経路３９の下部には、真空ポンプなどを備えた排気経路４０が接続されている。
【００１８】
洗浄容器支持体３７は、ガス通路部３６の上端部に連続する筒状部３７ａと、該筒状部３７ａの上部を覆う天板部３７ｂとを有しており、天板部３７ｂの中央には、前記洗浄ガス供給経路３８の洗浄ガス吐出部３８ａが設けられている。さらに、筒状部３７ａの周壁には、前記洗浄排ガス排出経路３９に連通する複数の炉内排気孔３７ｃが設けられ、天板部３７ｂの外周部に形成した周溝の底部に前記洗浄排ガス排出経路３９に連通する複数の容器内排気孔３７ｄが設けられている。
【００１９】
前記蓋本体３３ａの外周部には、前記第１シール部材３２ｂに設けられている第１シール材当接面４１に当接する柔軟性を有するシール材として、内外一対のＯリング４２ａ，４２ｂが設けられており、台座部３３ｂの外周部上端角部には、前記第２シール部材３２ｄの上端に設けられている当接部材４３に当接する当接部３３ｃが設けられている。
【００２０】
また、洗浄炉蓋部材３３は、該洗浄炉蓋部材３３の周囲に設けられた複数の洗浄炉蓋部材昇降手段４４によって鉛直方向に昇降可能に設けられており、洗浄炉蓋部材３３を下降させたときには、洗浄容器２１が第１シール部材３２ｂの下端部より下方に位置するように形成され、上昇したときには、前記Ｏリング４２ａ，４２ｂが第１シール材当接面４１に当接して第１シール部となり、当接部３３ｃが当接部材４３に当接して第２シール部となるように形成されている。この第２シール部は、金属、石英ガラス、グラファイトなどの固体からなる当接部材４３と当接部３３ｃとの固体同士の接触で形成されることから、Ｏリング４２ａ，４２ｂを使用した第１シール部に比べてシール性は低くなっている。
【００２１】
前記シールガス供給経路３５は、第１シール部材３２ｂの内周と蓋本体３３ａの外周との間の第１ガス通路４５にシールガスを供給する。第１ガス通路４５に供給されたシールガスは、固体同士が当接している固体当接部４５ａに生じる僅かな隙間を通って第２ガス通路４６の下端部に流入し、第２ガス通路４６内の圧力を洗浄炉３１内の運転圧力より高い圧力に保持する。
【００２２】
前記洗浄容器２１は、前記洗浄容器支持体３７の上に載置される円盤状の底板２２と、該底板２２の内周部に積層される小径リング状の内周側支持部材２３と、底板２２の外周部に積層される大径リング状の外周側支持部材２４と、内周側支持部材２３と外周側支持部材２４との間に設けられる部品支持具２５と、最上部の外周側支持部材２４に載置された洗浄容器天板２６とを有している。部品支持具２５は、洗浄する部品の形状や大きさに対応したものが適宜に用いられる。底板２２の内周部には、前記容器内排気孔３７ｄの周溝に連通する複数の排気孔２２ａが設けられている。また、底板２２の底面には、洗浄容器支持体３７の外径より大きな外径を有するリング状突出部２２ｂが形成されており、該リング状突出部２２ｂの内周には、天板部３７ｂに係合して位置決めする係合段部２２ｃが設けられている。
【００２３】
最下段の部品収納部の底面を形成する底板２２の上には、サセプタカバー１５及びプレートリング１６の形状にそれぞれ対応した形状を有する複数の部品支持具２５が所定位置に配置され、該部品支持具２５に設けられた支持部及び支持段部、内周側支持部材２３の外周に設けられた支持段部、外周側支持部材２４の内周に設けられた支持段部を適宜利用してサセプタカバー１５及びプレートリング１６が支持される。また、最も大きな部品である天井板１７は、内周側支持部材２３の上端部外周に設けられた支持段部と外周側支持部材２４の上端部内周に設けられた支持段部とを利用して支持される。
【００２４】
２段目から上の部品収納部には、下段の部品収納部に収納された状態となっている天井板１７における洗浄が不要な上面に前記部品支持具２５を載置し、この部品支持具２５と内周側支持部材２３、外周側支持部材２４とによってサセプタカバー１５やプレートリング１６が前記同様にして支持される。また、最上部の外周側支持部材２４に載置した洗浄容器天板２６によって部品収納部２１ａの全体が覆われることにより、部品収容部２１ａが洗浄炉３１内から区画された状態になる。さらに、内周側支持部材２３、外周側支持部材２４及び部品支持具２５における部品当接面には、洗浄ガスを流通させるための溝状ガス流路がそれぞれ形成されており、この溝状ガス流路を通って洗浄ガスなどが流通できるように形成されている。また、最上部の外周側支持部材２４に載置した洗浄容器天板２６によって部品収納部２１ａの全体が覆われることにより、部品収容部２１ａが洗浄炉３１内から区画された状態になる。このようにして各部品を収納することにより、複数種類の気相成長装置用部品を同時に洗浄することができる。
【００２５】
洗浄ガス吐出部３８ａから吐出された洗浄ガスは、内周側支持部材２３の内周側に形成されるガス流路を洗浄容器天板２６の下面まで上昇し、部品当接面の前記溝状ガス流路を通って順次下方の部品収納部２１ａに流下しながら各部品の表面に付着した反応生成物などと接触し、各部品に付着した反応生成物などと反応してこれらを除去する。部品洗浄後の洗浄排ガスは、最下段の部品収容部２１ａから底板２２に設けられた前記排気孔２２ａ及び前記容器内排気孔３７ｄを通って洗浄排ガス排出経路３９に排出される。
【００２６】
さらに、洗浄炉３１内のガスは、前記炉内排気孔３７ｃを通って洗浄排ガス排出経路３９に排出される。これにより、洗浄炉３１内の圧力は、洗浄排ガス排出経路３９にガスが吸引されることによって減圧されるため、当接部材４３と当接部３３ｃとの固体同士の当接によって形成された第２シール部に生じる隙間を通って第２ガス通路４６内のシールガスが洗浄炉３１内に流れる状態になるので、部品収納部２１ａ内の洗浄ガスや洗浄排ガスが洗浄炉３１内に漏出しても、炉内排気孔３７ｃからシールガスと共に排気することができる。また、第２シール部の隙間からシールガスが流出する状態になっているため、洗浄排ガスが第２シール部に接触することはほとんどなく、第２ガス通路４６内に洗浄排ガスが流入することを防止できる。
【００２７】
特に、部品収納部２１ａ内の洗浄ガスを底板２２の排気孔２２ａから排出するようにしているので、部品収納部２１ａ内の洗浄ガスが洗浄炉３１内に漏出することがほとんどなく、洗浄排ガスが第２シール部に接触することをより確実に回避することができる。また、部品収納部２１ａ内に必要量の洗浄ガスを供給すればよいため、洗浄炉本体３２の全体に洗浄ガスを供給する場合に比べて洗浄ガスの使用量を削減することができる。
【００２８】
したがって、第２ガス通路４６のガス流れ上流側に位置する第１シール部に洗浄排ガスが到達することを確実に防止することができ、合成樹脂などの柔軟性を有する材料で形成されたＯリング４２ａ，４２ｂが洗浄排ガスによって損傷を受けることがなくなり、安定したシール性能を長期にわたって維持することができる。
【００２９】
さらに、図７乃至図１５に示すように、洗浄炉３１の下方には、洗浄容器２１を搬送するための洗浄容器搬送手段５１が設けられている。この洗浄容器搬送手段５１は、洗浄炉蓋部材３３の最大径より大きな間隔で配置された一対のガイドレール５２，５２と、該ガイドレール５２，５２によって水平方向に移動可能にガイドされる洗浄容器横移動部材５３と、該洗浄容器横移動部材５３に設けられた洗浄容器支持部材５４とを有している。洗浄容器横移動部材５３は、図７及び図８に示すように、ガイドレール５２，５２の一端側で、洗浄炉蓋部材３３の昇降に影響を与えない待機位置から、図９乃至図１１に示すように、洗浄炉蓋部材３３から洗浄容器２１を洗浄容器支持部材５４に移載可能な移載位置と、図１２乃至図１５に示すように、洗浄容器２１を運搬台車５５に移載可能な取出位置とに移動可能に形成されている。
【００３０】
洗浄容器支持部材５４は、洗浄炉蓋部材３３の台座部３３ｂの上面と、洗浄容器２１の底板２２の下面との間に侵入可能な厚さを有しており、洗浄容器支持部材５４の中央部には、取出位置の方向が開口した平面視Ｕ字状の段付支持部５６が設けられている。この段付支持部５６の開口幅は、前記洗浄容器支持体３７の外径より大きく形成されており、段付支持部５６の上向き段部５６ａに、底板２２の下面から突出したリング状突出部２２ｂが位置決めされて載置されるように形成されている。また、運搬台車５５の上部には、取出位置において、洗浄容器支持部材５４に対して洗浄容器２１を授受可能な形状のフォーク部５７が設けられている。
【００３１】
気相成長装置用部品の洗浄を終えた洗浄容器２１は、まず、洗浄炉蓋部材昇降手段４４を作動させて洗浄炉蓋部材３３をあらかじめ設定された位置に下降させた後、洗浄容器横移動部材５３を待機位置から移載位置に移動させ、段付支持部５６内に洗浄容器支持体３７を進入させる。この状態で洗浄炉蓋部材昇降手段４４によって洗浄炉蓋部材３３を更に下降させることにより、洗浄容器２１が洗浄炉蓋部材３３から洗浄容器支持部材５４に移載される。洗浄炉蓋部材３３を十分に下降させた後、洗浄容器横移動部材５３を取出位置に移動させ、運搬台車５５のフォーク部５７を洗浄容器２１の下方に挿入してフォーク部５７で洗浄容器２１を支持した状態にした後、洗浄容器横移動部材５３を待機位置に移動させる。これにより、洗浄を終えた気相成長装置用部品を収容した状態の洗浄容器２１を運搬台車５５によって適宜な位置に移動させることができ、気相成長装置への組み付けを行うことができる。また、この手順を逆に行うことにより、気相成長装置から取り外して洗浄容器２１内に収納した気相成長装置用部品を洗浄炉３１内に搬入することができる。
【００３２】
図１６は、本発明の気相成長装置用部品の洗浄装置の第２形態例を示している。なお、以下の説明において、前記第１形態例に示した気相成長装置用部品の洗浄装置の構成要素と同一の構成要素には同一の符号を付して詳細な説明は省略する。
【００３３】
本形態例に示す洗浄装置における洗浄容器７１では、底板７２の内周部に積層される内周側支持部材７３に径方向の洗浄ガス導入孔７３ａを設けるとともに、底板７２の外周部に積層される外周側支持部材７４に洗浄排ガス導出孔７４ａを設けている。図７に矢印で示すように、洗浄ガス吐出部３８ａから内周側支持部材７３の内周側に流入した洗浄ガスは、内周側支持部材７３の洗浄ガス導入孔７３ａを通って部品収容部２１ａの各段にそれぞれ流入する。各部品に付着した反応生成物などと反応してこれらを除去した後の部品収容部２１ａ内の洗浄排ガスは、外周側支持部材７４の洗浄排ガス導出孔７４ａを通って洗浄容器７１の外に流出し、前記シールガスと共に炉内排気孔３７ｃを通って洗浄炉３１から洗浄排ガス排出経路３９に排出される。このように、洗浄容器７１から洗浄炉本体３２内に洗浄ガスを排出する構造の洗浄容器７１を使用した場合でも、第１シール部から第２シール部に洗浄排ガスが到達することを確実に防止することができる。
【００３４】
さらに、前記洗浄装置における各部品の設置位置は、気相成長装置内での配置に近く、ガスの流れも模している。そのため、付着物が多い箇所は、洗浄ガスも多く当たることになり、ムラなく効率的に洗浄できる。さらに、その時に洗浄する部品数に応じて、外周、内周支持部材を増減することにより、常に同じガス流れ条件下で洗浄できるため、ムラなく効率的に洗浄できる。さらに、処理の厄介な反応生成物、例えば塩化ガリウムの炉内周辺部への拡散を防ぎ、沸点以上の温度を維持したまま、後段の捕集器まで排出することが可能である。
【００３５】
また、各部品に付着した反応生成物が窒化ガリウムで、これを塩素で洗浄する場合、洗浄反応生成物として塩化ガリウムが発生する。これは沸点２０１℃で、炉内などに温度の低い場所があると析出する。減圧すれば低温でも気化するが、潮解性を有しているため、付着したまま洗浄炉を開放すると、大気中の水分と反応して塩化水素を発生する。塩化水素は、さらに水分と反応して塩酸となり、洗浄炉の金属部品を腐食させる。さらに、一度潮解した付着物は、２００℃に加熱しても気化しないため、炉内に残り続け、Ｏリングを傷つけたり、炉の密閉を妨げる。下流の捕集器まで、塩化ガリウムを大気にさらさないように誘導するには、ビーター機構等複雑な機構が必要である。このようなことから、洗浄炉内を前記沸点以上の温度に加熱することにより、洗浄時に発生した塩化ガリウムが析出することを防止できる。加えて、炉内のガスと接触する第２シール部を、金属、石英ガラス、グラファイトなど、特に、伝熱性の高いグラファイトで形成することにより、第２シール部を前記沸点以上にすることができ、第２シール部に塩化ガリウムのような蒸気圧が高い物質が析出することがなくなる。加えて、洗浄炉本体のドーム部を、輻射熱を透過させる石英ガラスで形成することにより、洗浄炉内を効果的に加熱することができ、下層の構成部材の温度が上昇するので、蒸気圧の高い物質を確実に除去することができる。
【符号の説明】
【００３６】
１１…基板、１２…サセプタ、１３…加熱手段、１４…ガス供給部、１５…サセプタカバー、１６…プレートリング、１７…天井板、２１…洗浄容器、２１ａ…部品収容部、２２…底板、２２ａ…排気孔、２２ｂ…リング状突出部、２２ｃ…係合段部、２３…内周側支持部材、２４…外周側支持部材、２５…部品支持具、２６…洗浄容器天板、３１…洗浄炉、３２…洗浄炉本体、３２ａ…ドーム部、３２ｂ…第１シール部材、３２ｃ…開口部、３２ｄ…第２シール部材、３３…洗浄炉蓋部材、３３ａ…蓋本体、３３ｂ…台座部、３３ｃ…当接部、３４…ケース部材、３４ａ…加熱手段、３４ｂ…断熱材、３５…シールガス供給経路、３６…ガス通路部、３７…洗浄容器支持体、３７ａ…筒状部、３７ｂ…天板部、３７ｃ…炉内排気孔、３７ｄ…容器内排気孔、３８…洗浄ガス供給経路、３８ａ…洗浄ガス吐出部、３９…洗浄排ガス排出経路、４０…排気経路、４１…第１シール材当接面、４２ａ，４２ｂ…Ｏリング、４３…当接部材、４４…洗浄炉蓋部材昇降手段、４５…第１ガス通路、４５ａ…固体当接部、４６…第２ガス通路、５１…洗浄容器搬送手段、５２…ガイドレール、５３…洗浄容器横移動部材、５４…洗浄容器支持部材、５５…運搬台車、５６…段付支持部、５６ａ…上向き段部、５７…フォーク部、７１…洗浄容器、７２…底板、７３…内周側支持部材、７３ａ…洗浄ガス導入孔、７４…外周側支持部材、７４ａ…洗浄排ガス導出孔
【図１】
0006679413.tif 000002
【図２】
0006679413.tif 000003
【図３】
0006679413.tif 000004
【図４】
0006679413.tif 000005
【図５】
0006679413.tif 000006
【図６】
0006679413.tif 000007
【図７】
0006679413.tif 000008
【図８】
0006679413.tif 000009
【図９】
0006679413.tif 000010
【図１０】
0006679413.tif 000011
【図１１】
0006679413.tif 000012
【図１２】
0006679413.tif 000013
【図１３】
0006679413.tif 000014
【図１４】
0006679413.tif 000015
【図１５】
0006679413.tif 000016
【図１６】
0006679413.tif 000017